【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
円筒面において開口したカム溝部を有する第１の部材と、
前記カム溝部に係合する係合部を有するカムフォロア部材と、
周方向において複数の前記カムフォロア部材を保持し、前記第１の部材と光軸方向において相対移動する第２の部材とを有し、
前記複数のカムフォロア部材のうち少なくとも１つは前記円筒面に対向する突起部を有し、
前記円筒面と前記突起部との間の間隔が、前記カム溝部の底面と前記係合部における該底面に対向する端面との間の間隔よりも小さいことを特徴とするレンズ装置。
【請求項２】
前記突起部は、前記第１の部材および前記第２の部材のうち一方が他方に対して略光軸直交方向に変位した場合に、前記円筒面に当接することを特徴とする請求項１に記載のレンズ装置。
【請求項３】
円筒面において開口したカム溝部を有する第１の部材と、
前記カム溝部に係合する係合部を有するカムフォロア部材と、
周方向において複数の前記カムフォロア部材を保持し、前記第１の部材と光軸方向において相対移動する第２の部材とを有し、
前記複数のカムフォロア部材のうち少なくとも１つは、前記第１の部材および前記第２の部材のうち一方が他方に対して略光軸直交方向に変位した場合に前記円筒面に当接する突起部を有することを特徴とするレンズ装置。
【請求項４】
前記突起部は、前記略光軸直交方向における変位量が所定量よりも小さい場合は前記円筒面から離れていることを特徴とする請求項３に記載のレンズ装置。
【請求項５】
前記円筒面は、前記第１の部材の内周面であることを特徴とする請求項１から４のいずれか１つに記載のレンズ装置。
【請求項６】
前記係合部における前記カム溝部と当接する面は、円錐形状を有することを特徴とする請求項１から５のいずれか１つに記載のレンズ装置。
【請求項７】
請求項１から６のいずれか１つに記載のレンズ装置と、
該レンズ装置を通過した光により形成された被写体像を光電変換する撮像素子とを有することを特徴とする撮影装置。
【手続補正２】
【補正対象書類名】明細書
【補正対象項目名】００１３
【補正方法】変更
【補正の内容】
【００１３】
なお、係合部におけるカム溝部と当接する面を円錐形状とすることにより、あらゆる方向からの外力に対するカムフォロア部材のカム溝部からの外れを防止するのに有効である。
【手続補正３】
【補正対象書類名】明細書
【補正対象項目名】００１９
【補正方法】変更
【補正の内容】
【００１９】
また、１０はベース部材９および後述する固定筒１２に対して光軸方向に直進するとともに、第１レンズ保持筒６を光軸方向にガイドする直進筒であり、固定筒１２の内側に配置されている。１１は固定筒１２と直進筒１０との間に配置された移動カム筒（第１の部材）であり、その内周側には、内周面にて開口する第１および第２カム溝部１４ａ，１４ｂが形成されている。第１カム溝部１４ａは、第１レンズ保持筒６を光軸方向に駆動するために、第２カム溝１４ｂは、第２レンズ保持筒７を光軸方向に駆動するために設けられている。
【手続補正４】
【補正対象書類名】明細書
【補正対象項目名】００２３
【補正方法】変更
【補正の内容】
【００２３】
また、移動カム筒１１および直進筒１０の内側に配置された第１レンズ保持筒６の外周面には、その周方向複数箇所（本実施例では、略均等間隔で３箇所）に、移動カム筒１１の第１カム溝部１４ａに係合するカムピン（カムフォロア部材）１３が設けられている。
【手続補正５】
【補正対象書類名】明細書
【補正対象項目名】００２４
【補正方法】変更
【補正の内容】
【００２４】
さらに、第２レンズ保持筒７の外周面には、移動カム筒１１の第２カム溝部１４ｂに係合するカムピン１６が設けられており、また移動カム筒１１の外周面には、固定筒１２のカム溝部１２ａに係合するカムピン１７が設けられている。
【手続補正６】
【補正対象書類名】明細書
【補正対象項目名】００３３
【補正方法】変更
【補正の内容】
【００３３】
図２において、光軸方向前方から矢印Ｅに示すように第１レンズ保持筒６に外力が加わり、図３におけるＤ部の位置に外力が加わった場合、図４において紙面表側から該Ｄ部に外力が加わる。このとき、移動カム筒１１は、カムピン１３の係合部１３ａの傾斜面（円錐面）と第１カム溝１４ａの傾斜カム面との滑りによって、図３中に破線で示したようにＦ方向に変形する。すなわち、該Ｄ部に光軸方向前側から加わった外力が、略光軸直交方向の外力に変換されて移動カム筒１１に作用する。これに伴い、移動カム筒１１は、図２におけるＧ方向に回転する。すなわち、第１レンズ保持筒６に対して略光軸直交方向に回転変位する。
【手続補正７】
【補正対象書類名】明細書
【補正対象項目名】００３４
【補正方法】変更
【補正の内容】
【００３４】
仮に、カムピン１３にフランジ部１３ｂが設けられていないか、若しくは上述した間隔寸法Ａと間隔寸法ＢとがＡ＜Ｂの関係にあると、上記のような移動カム筒１１の変形によって、Ｄ部の第１カム溝部１４ａからカムピン１３の係合部１３ａが脱落してしまう。
【手続補正８】
【補正対象書類名】明細書
【補正対象項目名】００３５
【補正方法】変更
【補正の内容】
【００３５】
しかし、本実施例のように、間隔寸法Ａと間隔寸法ＢとがＡ＞Ｂの関係にあると、移動カム筒１１が図２中のＧ方向に回転した場合、図５に拡大した図３中のＫ部に示すように、Ｄ部以外に設けられた他の２本のカムピン１３’（図５には一方のカムピン１３’のみ示す）のフランジ部１３ｂ’（外端面１３ｅ’）に、移動カム筒１１の内周面１１ａが接触し、移動カム筒１１はその変形および回転変位方向である図３および図４中のH方向に該２本のカムピン１３’を押す。
【手続補正９】
【補正対象書類名】明細書
【補正対象項目名】００３６
【補正方法】変更
【補正の内容】
【００３６】
なお、この状態において、第１カム溝部１４ａの底面１４ｃとカムピン１３’の係合部１３ａ’における該底面１４ｃに対向する端面１３ｄ’との間には寸法Ａ’（＝Ａ−Ｂ）を有する間隔が残り、該底面１４ｃと該端面１３ｄとが離れているので、フランジ部１３ｂ’の外端面１３ｅ’と移動カム筒１１の内周面１１ａとの接触を妨げない。
【手続補正１０】
【補正対象書類名】明細書
【補正対象項目名】００３７
【補正方法】変更
【補正の内容】
【００３７】
そして、移動カム筒１１が２本のカムピン１３’を押した結果、第１レンズ保持筒６は、図３中のＨの方向に偏芯移動する。これは、Ｄ部のカムピン１３に対して、第１カム溝部１４ａと該カムピン１３の係合部１３ａとの係合量を元に戻す移動方向である。したがって、Ｄ部のカムピン１３の第１カム溝部１４ａからの脱落が防止される。
【手続補正１１】
【補正対象書類名】明細書
【補正対象項目名】００３８
【補正方法】変更
【補正の内容】
【００３８】
また、図３中のＩ部に外力が作用した場合には、３本のカムピン１３が移動カム筒１１によって押されてＪ方向に偏芯移動するので、同様に各カムピン１３が第１カム溝部１４ａから脱落することが防止される。
【手続補正１２】
【補正対象書類名】明細書
【補正対象項目名】００４０
【補正方法】変更
【補正の内容】
【００４０】
以上説明したように、本実施例によれば、カムピン１３にフランジ部１３ｂを形成するとともに、前述した間隔の寸法関係をＡ＞Ｂに設定するだけの簡単な構成で、すなわちレンズ鏡筒やカメラ全体の大型化を招くことなく、外力に対して強固なレンズ鏡筒を実現することができる。
【手続補正１３】
【補正対象書類名】明細書
【補正対象項目名】００４５
【補正方法】変更
【補正の内容】
【００４５】
また、上記実施例では、移動カム筒１１の内周面側にカム溝部を形成し、移動カム筒１１の内側に配置された第１レンズ保持筒６の外周にカムピンを設けた場合について説明したが、移動カム筒の外周面側にカム溝部を設け、移動カム筒の外側に配置された筒部材の内周面側にカムピンを設けた場合にも本発明を適用することが可能である。